(57)【要約】【課題】  従来、ネットワーク上のコンテンツの再生を行う場合、要約再生機能を有さないサーバのコンテンツに関しては要約再生を行う事ができなかった。【解決手段】  本発明の映像配信システムは、映像コンテンツを蓄積するサーバと、サーバのコンテンツを要約再生する要約再生装置と、コンテンツの要約再生情報を生成するとともに、該コンテンツのアクセス場所と要約再生可否情報を含むコンテンツ情報を有し、コンテンツ情報を要約再生装置に通知する要約情報生成装置とがネットワークに接続されるように構成した。そして、要約再生装置が選択されたコンテンツの要約再生条件を要約情報生成装置に通知し、要約情報生成装置が要約再生条件と要約再生情報から要約位置情報を生成して要約再生装置に通知し、要約再生装置は、この要約位置情報に従いサーバから映像コンテンツを取得して要約再生をおこなうようにした。【選択図】図４
2008085933.tif 000002
【特許請求の範囲】
【請求項１】
ネットワークを介して映像コンテンツを配信する映像配信システムにおいて、
映像コンテンツを蓄積するコンテンツサーバと、
前記コンテンツサーバの映像コンテンツを要約再生する要約再生装置と、
前記コンテンツサーバの映像コンテンツの要約再生情報を生成するとともに、該映像コンテンツのアクセス場所と要約再生可否情報を含むコンテンツ情報を有し、前記コンテンツ情報を前記要約再生装置に通知する要約情報生成装置とが前記ネットワークに接続され、
前記要約再生装置は、前記コンテンツ情報の要約再生可否情報が可のコンテンツを選択されたときに、前記要約情報生成装置から通知される要約位置情報とコンテンツ情報に基づいて前記コンテンツサーバから要約映像コンテンツを取得してコンテンツ再生をおこなうことを特徴とする映像配信システム。
【請求項２】
請求項１記載の映像配信システムにおいて、
前記要約再生装置は、選択されたコンテンツの要約再生条件を前記要約情報生成装置に通知し
前記要約情報生成装置は、前記要約再生条件と前記要約再生情報から要約位置情報を生成して前記要約再生装置に通知することを特徴とする映像配信システム。
【請求項３】
請求項１に記載の映像配信システムにおいて、
前記要約再生装置は、前記コンテンツ情報の要約再生可否情報が否のコンテンツを選択されたときに、前記コンテンツサーバから映像コンテンツを要約せずに取得してコンテンツ先頭から再生をおこなうことを特徴とする映像配信システム。
【請求項４】
ネットワークを介して映像コンテンツを配信する映像配信システムにおけるダイジェスト再生方法であって、
ネットワーク上の複数の映像コンテンツの要約再生情報を生成するステップと、
前記ステップの生成可否を示す要約再生可否情報と前記映像コンテンツのネットワーク上のアクセス場所の情報を含む映像コンテンツのコンテンツ情報を映像コンテンツごとに生成するステップと、
前記コンテンツ情報を基に再生する映像コンテンツを選択するステップと、
選択されたコンテンツの要約再生可否情報を判定して要約再生可のときに、前記要約再生情報から映像コンテンツの要約位置情報を生成するステップと、
前記選択されたコンテンツのコンテンツ情報のアクセス場所の映像コンテンツを前記要約位置情報に従って配信するステップを有することを特徴とするダイジェスト再生方法。
【請求項５】
請求項４に記載の映像配信システムのダイジェスト再生方法において、
選択されたコンテンツの要約再生可否情報を判定して要約再生否のときに、前記選択されたコンテンツのコンテンツ情報のアクセス場所の映像コンテンツをコンテンツ先頭から配信するステップを有することを特徴とするダイジェスト再生方法。
【発明の詳細な説明】
【技術分野】
【０００１】
本発明は、コンテンツ再生端末とコンテンツサーバがネットワークを介して接続する映像配信システムに係り、特に、サーバのコンテンツをダイジェスト再生するのに好適な映像配信システムに関する。
【背景技術】
【０００２】
ホームネットワーク経由において動画送受信を可能とするＡＶ系ネットワーク対応装置が普及しつつある。これらネットワーク装置は、大量に蓄積されたコンテンツを効率よく視聴再生するために、要約再生が可能なものも存在する（例えば、特許文献１）。
【０００３】
詳しくは、特許文献１には、コンテンツを有するサーバが、クライアント側から指定された条件に従って送受信対象となるコンテンツから要約コンテンツを生成し、クライアントは、生成された該要約コンテンツをサーバから受信する事で、サーバ・クライアント間におけるコンテンツの要約再生を実現する技術が開示されている。
【０００４】
【特許文献１】特開2006-148526号公報
【発明の開示】
【発明が解決しようとする課題】
【０００５】
しかしながら、上述した特許文献1では、要約コンテンツ生成機能を持たないコンテンツサーバが存在する場合、該コンテンツサーバが有するコンテンツに関して、クライアントは要約再生する事が出来ない。例えば、宅内に、要約コンテンツ生成機能を持つサーバAと、要約コンテンツ生成機能を持たないサーバBと、クライアントAとが存在する場合、クライアントAはサーバAのコンテンツを要約再生する事が可能であるが、サーバBのコンテンツを要約再生する事が出来ない。
【０００６】
本発明は、上記課題を解決し、要約コンテンツ生成機能を持たないサーバでもサーバのコンテンツのダイジェスト再生をおこなえる映像配信システムを提供することを目的とする。
【課題を解決するための手段】
【０００７】
本発明のネットワークを介して映像コンテンツを配信する映像配信システムは、映像コンテンツを蓄積するコンテンツサーバと、前記コンテンツサーバの映像コンテンツを要約再生する要約再生装置と、前記コンテンツサーバの映像コンテンツの要約再生情報を生成するとともに、該映像コンテンツのアクセス場所と要約再生可否情報を含むコンテンツ情報を有し、前記コンテンツ情報を前記要約再生装置に通知する要約情報生成装置とが前記ネットワークに接続されるように構成した。そして、前記要約再生装置は前記コンテンツ情報の要約再生可否情報が可のコンテンツを選択されたときに、前記要約情報生成装置から通知される要約位置情報とコンテンツ情報に基づいて前記コンテンツサーバから要約映像コンテンツを取得してコンテンツ再生をおこなうようにした。
【０００８】
さらに、上記映像配信システムで、前記要約再生装置が選択されたコンテンツの要約再生条件を前記要約情報生成装置に通知し、前記要約情報生成装置が前記要約再生条件と前記要約再生情報から要約位置情報を生成して前記要約再生装置に通知するようにした。
【０００９】
また、上記映像配信システムで、前記要約再生装置は前記コンテンツ情報の要約再生可否情報が否のコンテンツを選択されたときに、前記コンテンツサーバから映像コンテンツを要約せずに取得してコンテンツ先頭から再生をおこなうようにした。
【発明の効果】
【００１０】
本発明によれば、要約コンテンツ生成機能を持たないサーバでもサーバのコンテンツのダイジェスト再生をおこなえる映像配信システムを提供できるので、ユーザのコンテンツの内容把握が可能になり、コンテンツ視聴を容易におこなえるようになる。
【発明を実施するための最良の形態】
【００１１】
以下、図面を用いて本発明の実施例について説明する。なお、同一番号や同一符号は同様の機能を有するものとする。また、本発明が本明細書の実施形態に限定されないことは言うまでもない。
【００１２】
まず、本実施形態の詳細について説明する前に、本実施形態の映像配信システムの概要を図４により説明する。詳細を後述する要約情報生成装置301と要約再生装置302とコンテンツサーバ303がネットワーク304に接続されている。ネットワーク304は家庭内ネットワークでも宅内外ネットワークでも良い。但し、ネットワーク304が宅内外の場合、接続対象装置を一意に定める事が可能な状態であり、また、認証やパケットの暗号化等のセキュリティを確保可能な状態とする。
【００１３】
ここで、要約情報生成装置301は、コンテンツサーバ303に蓄積される映像等のコテンツを受信し、要約再生情報の生成を行う。その後、要約情報生成装置301は、該コンテンツ情報401に要約再生可否情報を付加した要約再生情報付コンテンツ情報402を生成し、公開する。以上により、要約再生情報生成装置301は、要約再生機能を有さないコンテンツサーバ303が有するコンテンツの要約再生情報を生成し、更に要約再生可否情報を含むコンテンツ情報を公開する事が出来る。
【００１４】
要約再生装置302は、前記要約再生情報付コンテンツ情報402を取得し、ユーザに再生コンテンツを選択させる。要約再生装置302は、選択されたコンテンツの要約再生条件を要約情報生成装置301に通知し、要約再生位置情報を取得する。そして、要約再生装置302は、要約情報生成装置301から送信され該要約再生位置情報に従ってコンテンツサーバ303からコンテンツを取得、再生する。
【００１５】
図４のシステム構成図では、それぞれひとつの要約情報生成装置と要約再生装置とコンテンツサーバから構成される例について説明したが、言うもでもなく、要約再生装置は複数台の構成であってもよい。また、複数の要約生成機能をもたないコンテンツサーバのコンテンツをひとつの要約再生装置により視聴管理するようにしてもよい。
【００１６】
また、要約生成機能をもつコンテンツサーバが接続される場合でも、該コンテンツサーバで生成した要約再生情報を要約情報生成装置に転送し、他のコンテンツサーバのコンテンツと同様に、該コンテンツ情報401に要約再生可否情報を付加した要約再生情報付コンテンツ情報402を生成し、公開するようにしてもよい。これによれば、コンテンツサーバの要約生成機能有無に関わらず、ユーザからはコンテンツの一元管理された状態となり、コンテンツの視聴が容易におこなえる効果がある。
【００１７】
つぎに、図1により、要約再生情報の生成及び、要約再生位置情報を送信する要約情報生成装置の構成と機能について説明する。
要約情報生成装置301は、CPU101、メモリ102、HDD103、ネットワークI/F部104、コンテンツ情報受信部105、要約再生情報付コンテンツ情報送信部106、コンテンツ受信部107、要約再生情報生成部108、要約再生条件受信部109、要約再生位置生成部111が、バス120に接続されている構成で示される。
【００１８】
CPU101とメモリ102とHDD103は、要約情報生成装置301と要約再生装置302とコンテンツサーバ303のOS及びアプリケーションプログラムを動作させる為の機能を有する。OS及びアプリケーションプログラムは特に制限は無く、要約情報生成装置301と要約再生装置302とコンテンツサーバ303をPCとする場合にはPC用のOS及びアプリケーションを、TVとする場合はTV用のOS及びアプリケーションを、HDDレコーダとする場合にはHDDレコーダ用のOS及びアプリケーションを用いれば良い。また、HDD103には、映像コンテンツを格納する事も可能であり、例えばHDDレコーダであればHDDに放送映像を格納する事が出来る。ネットワークI/F部104は、ネットワークへのデータ送受信を行う機能を有する。
【００１９】
コンテンツ情報受信部105は、コンテンツサーバが有するコンテンツ情報をコンテンツサーバから取得する機能を有する。受信するコンテンツ情報は図5で示される構成を持つ。受信するコンテンツ情報である、コンテンツ情報401は、コンテンツを一意に定めるID、ユーザへコンテンツの情報を示す為のコンテンツ名、コンテンツにアクセスする為のURLで構成される。受信コンテンツ情報は他にも、チャンネル情報や所有ユーザ情報などを含んでも良い。
【００２０】
要約再生情報付コンテンツ情報送信部106は、要約再生可否情報を含むコンテンツ情報を生成、公開し、要約再生装置へ送信する機能を有する。送信するコンテンツ情報は図6で示される構成を持つ。送信コンテンツ情報である、要約再生可否情報付コンテンツ情報402は、コンテンツを一意に定めるID、ユーザへコンテンツの情報を示す為のコンテンツ名、コンテンツにアクセスする為のURL、要約再生可否を判断する為の要約再生可否情報で構成される。要約再生可否情報付コンテンツ情報402のURLは、図5に示される受信コンテンツ情報401のURLと同一のものとする。
【００２１】
コンテンツ受信部107は、コンテンツサーバが有するコンテンツをコンテンツサーバから取得する機能を有する。取得する為のプロトコルはHTTPやRTPなど一般的なプロトコルで良く、コンテンツサーバからコンテンツを取得出来るものであれば良い。
【００２２】
要約再生情報生成部108は、要約再生位置を生成する為に必要となる要約再生情報を生成する機能を有する。要約再生情報とは、コンテンツから抽出されたシーン毎にランキング付けされた情報を示す。例えばサッカーで言えばシュートやゴールのシーンを抽出し、これらのシーンは高位にランキング付けされる。要約再生位置の生成は、例えば再生割合及び再生時間が指定された場合、指定された割合及び時間条件に到達するまで、ランキング付けされたシーンを高い順に選択して行う。
【００２３】
要約再生条件受信部109は、要約再生装置が送信する要約再生条件を受信する機能を有する。要約再生条件に関しては後述する。
【００２４】
要約再生位置生成部111は、該要約再生情報と該要約再生条件に従って、要約再生位置を生成する機能を有する。要約再生位置のデータフォーマットは図7に示される様な構成を持つ。データフォーマット1 501は再生範囲の文字列で構成され、秒単位の再生範囲で示される。また、秒単位ではなくMPEG-2のPTSやDTSの再生範囲としても良い。また、5-10,25-30,55-70といったCSV形式による構成としても良い。他のデータフォーマットとして、データフォーマット2 502とデータフォーマット3 503でも構成可能である。データフォーマット2 502は、再生範囲の開始時間と終了時間をバイナリで順番に並べる構成であり、各要素は一定のデータサイズとなる。例えば各要素を4バイトとすると、一つの再生範囲は8バイトで構成される。データフォーマット3 503は、データの先頭に再生範囲数を、その後ろに各再生範囲を並べる構成である。再生範囲数及び各再生範囲は文字列でもバイナリデータで表現しても良い。また、本実施例では再生範囲数を各再生範囲の前に配置したが、後ろに配置しても良い。
【００２５】
本実施例では上記構成としたが、要約情報生成装置をコンテンツサーバとして利用する事も可能であり、この場合、要約再生情報生成部108、要約再生条件受信部109、要約再生位置生成部110、要約再生位置送信部111を有していれば良い。
【００２６】
次に図2により、取得した要約位置情報に従ってコンテンツの要約再生を行う要約再生装置の構成と機能について説明する。
要約再生装置302は、CPU101、メモリ102、HDD103、ネットワークI/F部104、要約再生可否情報付コンテンツ情報受信部150、要約再生条件送信部151、要約再生位置受信部152、コンテンツ受信部107、コンテンツ処理部153、表示部154、入力部155が、バス120に接続されている構成で示される。
【００２７】
要約再生可否情報付コンテンツ情報受信部150は、要約再生可否情報付コンテンツ情報を受信する機能を有する。
【００２８】
要約再生条件送信部151は、要約再生条件を送信する機能を有する。要約再生条件とは、例えば要約再生の再生時間や、再生割合が挙げられる。また、コンテンツサーバに様々なジャンルのコンテンツがある場合に、そのジャンルに適した要約再生を行う為のジャンル指定が挙げられる。以上の様に、要約再生位置を決定する為の要素となる情報であれば、要約再生条件として利用する事も可能である。
【００２９】
要約再生位置受信部152は、要約再生位置を受信する機能を有する。
【００３０】
コンテンツ処理部153は、コンテンツ受信部107にて受信したコンテンツをデコードする機能を有する。
【００３１】
表示部154は、コンテンツ処理部153にてデコードした映像を表示する為の機能を有する。
入力部155は、ユーザが要約再生装置302を操作する為の情報を受け付ける機能を有する。例えば家電であればリモコンの情報を受光し、その情報に従って各処理部に対して動作の指示を行う。
【００３２】
次に図3により、コンテンツをネットワークへ送信する一般的なコンテンツサーバの構成と機能について説明する。
コンテンツサーバ303は、CPU101、メモリ102、HDD103、ネットワークI/F部104、コンテンツ送信部202が、バス120に接続されている構成で示される。
【００３３】
コンテンツ情報送信部201は、コンテンツサーバ303の有するコンテンツのコンテンツ情報を生成、公開し、送信する機能を有する。送信するコンテンツ情報は先述同様図5で示される構成を持つ。
【００３４】
コンテンツ送信部202は、コンテンツをネットワークへ送信する機能を有する。またコンテンツの送信においては時間範囲指定やバイト範囲指定を受け付ける事が可能であり、コンテンツ送信部202は、指定を受けると各指定に従った範囲のコンテンツデータを送信する。
【００３５】
次に、図８から図１０により、要約情報生成装置301と要約再生装置302とコンテンツサーバ303との間で行われる要約再生の動作の流れを説明する。
まず、要約情報生成装置301とコンテンツサーバ303との間で要約再生情報の生成を行う処理について説明する。この時の要約情報生成装置301の動作フローは図8で示される。
【００３６】
要約再生情報生成装置301は、コンテンツサーバ303により公開されたコンテンツ情報401を取得する(S101)。次に、取得したコンテンツ情報401の各IDのコンテンツそれぞれに対し、コンテンツを受信し、要約再生情報の生成を行う。生成した要約再生情報はHDD103へ格納する(S102)。要約再生情報を生成した後、要約再生情報生成装置301は、該コンテンツ情報401に要約再生可否情報を付加した、要約再生情報付コンテンツ情報402を生成し、公開する(S103)。以上により、要約再生情報生成装置301は、要約再生機能を有さないコンテンツサーバ303が有するコンテンツの要約再生情報を生成し、更に要約再生可否情報を含むコンテンツ情報を公開する事が出来る。
【００３７】
次に、要約情報生成装置301と要約再生装置302との間で要約再生位置情報の送受信を行い、要約再生を行う事とする。この時の要約情報生成装置301の動作フローは図9で示され、一方、要約再生装置302の動作フローは図10で示される。要約再生装置302は、要約情報生成装置301により公開された要約再生情報付コンテンツ情報402を取得する(S201)。次に、取得した要約再生情報付コンテンツ情報402に従い、要約再生可否情報を含むコンテンツ情報をユーザに対して表示し、ユーザに再生するコンテンツを選択させる(S202)。次に、選択されたコンテンツが要約再生可能かどうかを判断し(S203)、不可能であれば、要約再生装置302は、コンテンツサーバ303のコンテンツを要約せずに取得、コンテンツ先頭から再生する(S204)。一方、コンテンツが要約再生可能であれば、要約再生装置302は、ユーザに指定されたコンテンツにおいて、ユーザ指定、又は予め定められた要約再生条件を要約情報生成装置301へ送信する(S205)。
【００３８】
要約情報生成装置301は、要約再生装置302から送信された該要約再生条件を受信し(S151)、該当するコンテンツの要約再生情報と該要約再生条件とを用い、要約再生位置情報の生成を行う(S152)。次に、要約情報生成装置301は、生成した該要約再生位置情報を要約再生装置302へ送信する(S153)
そして、要約再生装置302は、要約情報生成装置301から送信された該要約再生位置情報を受信し(S206)、該要約再生位置情報に従ってコンテンツサーバ303からコンテンツを取得、再生する(S207)。
【００３９】
以上により、要約再生装置302は、要約情報生成装置302を介して要約再生位置情報を取得する事で、要約再生機能を有さないコンテンツサーバ303のコンテンツの要約再生を行う事が可能となる。
【図面の簡単な説明】
【００４０】
【図１】要約再生情報生成装置の構成を示す図である。
【図２】要約再生装置の構成を示す図である。
【図３】コンテンツサーバの構成を示す図である。
【図４】ネットワークシステム構成例を示す図である。
【図５】実施例のコンテンツ情報を示す図である。
【図６】要約再生可否情報付コンテンツ情報を示す図である。
【図７】要約再生位置情報のデータフォーマットを示す図である。
【図８】要約再生情報、及び、要約再生可否情報付コンテンツ情報を生成する動作を示すフローチャートである。
【図９】要約再生位置情報の生成、及び、送信する動作を示すフローチャートである。
【図１０】要約再生位置情報の取得、及び、要約再生する動作を示すフローチャートである。
【符号の説明】
【００４１】
101…CPU、102…モリ、103…HDD、104…ネットワークI/F部、
105…コンテンツ情報受信部、106…要約再生可否情報付コンテンツ情報送信部、
107…コンテンツ受信部、108…要約再生情報生成部、109…要約再生条件受信部、
110…要約再生位置生成部、111…要約再生位置送信部、120…バス、
150…要約再生可否情報付コンテンツ情報受信部、151…要約再生条件送信部、
152…要約再生位置受信部、153…映像処理部、154…表示部、155…入力部、
201…コンテンツ情報送信部、202…コンテンツ送信部、
301…要約情報生成装置、302…要約再生装置、303…コンテンツサーバ、
304…ネットワーク、401…コンテンツ情報、402…要約再生可否情報付コンテンツ情報、
501…要約再生位置情報データフォーマット、
502…要約再生位置情報データフォーマット、
503…要約再生位置情報データフォーマット
【図１】
2008085933.tif 000003
【図２】
2008085933.tif 000004
【図３】
2008085933.tif 000005
【図４】
2008085933.tif 000006
【図５】
2008085933.tif 000007
【図６】
2008085933.tif 000008
【図７】
2008085933.tif 000009
【図８】
2008085933.tif 000010
【図９】
2008085933.tif 000011
【図１０】
2008085933.tif 000012